(57)【要約】コンタクトレンズが装着される患者になされる眼の測定は、屈折試験と、レンズと同一の直径を有する仮想円筒の表面における角膜の深さの変動を表す付加的な測定とを含んでいる。次いで、この情報をレンズ製造中に用いて、周縁が、非円形で面内になく、適切な点において眼に向かって後方に垂れ、これによって、サドル状の周縁をなすレンズを作製する。【特許請求の範囲】
【請求項１】
人間の眼内での適合性を改良するように光学レンズを製造する方法であって、前記レンズが頂点と周縁とを有するアーチ状に湾曲された形状の本体を有するような方法において、前記周縁を、前記周縁の多数の部分が前記頂点と接する面から異なる距離にあるように、形作るステップを備えることを特徴とする方法。
【請求項２】
前記周縁は、前記レンズが前記眼内にあるとき、水平経線の近傍における前記周縁の部分が、垂直経線の近傍における前記周縁の部分よりも前記頂点と接する面に近いように、形作られることを特徴とする請求項１に記載の方法。
【請求項３】
前記周縁は、前記レンズが前記眼内にあるとき、垂直経線の上端の近傍における前記周縁の部分が、垂直経線の底の近傍における前記周縁の部分よりも前記頂点に接する面から遠いように、形作られることを特徴とする請求項２に記載の方法。
【請求項４】
前記周縁は、前記レンズが前記眼内に装着されたとき、水平経線の近傍における点の前記頂点に接する面との距離と垂直経線の近傍における点の前記頂点に接する面からの距離との差が、前記眼の表示された乱視の大きさと関連するように、形作られることを特徴とする請求項２あるいは３に記載の方法。
【請求項５】
前記周縁は、前記距離の差が各ジオプトリーの乱視度ごとに約２０μｍであるように、形作られることを特徴とする請求項４に記載の方法。
【請求項６】
前記レンズは、コンタクトレンズであることを特徴とする先行する請求項のいずれか一項に記載の方法。
【請求項７】
前記レンズは、ソフトコンタクトレンズであることを特徴とする先行する請求項のいずれか一項に記載の方法。
【請求項８】
前記レンズは、処方レンズであることを特徴とする先行する請求項のいずれか一項に記載の方法。
【請求項９】
人間の眼内での適合性が改良された光学レンズであって、頂点と周縁とを有するアーチ状に湾曲された形状の本体を有するレンズにおいて、前記周縁は、前記周縁の多数の部分が前記頂点と接する面から異なる距離にあるように、形作られることを特徴とするレンズ。
【請求項１０】
前記周縁は、前記レンズが前記眼内にあるとき、水平経線の近傍における前記周縁の部分が、垂直経線の近傍における前記周縁の部分よりも前記頂点と接する面に近いように、形作られることを特徴とする請求項９に記載のレンズ。
【請求項１１】
前記周縁は、前記レンズが前記眼内にあるとき、垂直経線の上端の近傍における前記周縁の部分が、垂直経線の底の近傍における前記周縁の部分よりも前記頂点と接する面から遠いように、形作られることを特徴とする請求項１０に記載のレンズ。
【請求項１２】
前記周縁は、前記レンズが前記眼内に装着されたとき、水平経線の近傍における点の前記頂点と接する面からの距離と垂直経線の近傍における点の前記頂点と接する面からの距離の差が、前記眼の表示された乱視の大きさと関連するように、形作られることを特徴とする請求項１０あるいは１１に記載のレンズ。
【請求項１３】
前記周縁は、前記距離の差が各ジオプトリーの乱視度ごとに約２０μｍであるように、形作られることを特徴とする請求項１２に記載のレンズ。
【請求項１４】
前記レンズは、コンタクトレンズであることを特徴とする請求項９〜１３のいずれか一項に記載のレンズ。
【請求項１５】
前記レンズは、コンタクトレンズであることを特徴とする請求項９〜１４のいずれか一項に記載のレンズ。
【請求項１６】
前記レンズは、処方レンズであることを特徴とする請求項９〜１５のいずれか一項に記載のレンズ。
【請求項１７】
前記レンズの前記周縁は、前記頂点と接する面に対して傾斜した第２面にあることを特徴とする請求項９〜１６のいずれか一項に記載のレンズ。
【請求項１８】
前記傾斜は、全てのレンズにおいて同一であり、前記レンズの前記周縁の部分を、所定量だけ、前記レンズが装着される前記眼の表面に接近させるように、計算されることを特徴とする請求項１７に記載の方法。
【請求項１９】
前記所定量は、略８０μｍであることを特徴とする請求項１８に記載の方法。
【請求項２０】
前記レンズの前記周縁は、前記頂点と接する面に対して傾斜した第２面にあることを特徴とする請求項１〜８のいずれか一項に記載のレンズ。
【請求項２１】
前記傾斜は、全てのレンズにおいて同一であり、前記レンズの前記周縁の部分を、所定量だけ、前記レンズが装着される前記眼の表面に接近させるように、計算されることを特徴とする請求項２０に記載のレンズ。
【請求項２２】
前記所定量は、略８０μｍであることを特徴とする請求項２１に記載のレンズ。
【発明の詳細な説明】
【技術分野】
【０００１】
本発明は、一般的に、コンタクトレンズ及びコンタクトレンズを製造する方法に関し、特に、非対称性非球面コンタクトレンズとその製造方法に関する。
【背景技術】
【０００２】
４０歳未満の人口の３０〜４０％は、眼鏡、コンタクトレンズ、又は外科的手段による矯正を必要とする眼球屈折欠陥を発現する。眼の主な光学的要素である角膜と水晶体が入射光を網膜に直接結像させることができないときに、屈折欠陥が生じる。像が網膜の前で焦点を合わせる場合が近視（近目）である。眼の像が網膜の背後で焦点を合わせる場合が遠視（遠目）である。眼又は眼の個々の要素のいずれかの焦点を調節する能力は、ジオプトリーと呼ばれる単位で測定される。
【０００３】
視力欠陥を有する４０歳未満の患者の略２０％は、コンタクトレンズを装着することができない。何故なら、コンタクトレンズが、適合せず（緩くなり、及び／又は著しい違和感をもたらし）、又は必要な光学的矯正を与えることができず、又はその両方が生じるからである。加えて、コンタクトレンズを現在装着している多くの患者は、それらのレンズを装着し得る時間の長さ及び／又はそれらのコンタクトレンズがもたらす視力に満足していない。
【０００４】
４０歳を超えると、視力矯正を必要とする人口の割合は、大幅に増加する。何故なら、眼の水晶体が、それまでと比較して、弾力性を失うからである。加齢に伴って、瞬きの回数が減少すると共に、涙液膜の品質が低下し、これによって、これまで順調にコンタクトレンズを装着していた患者のうち、それらのレンズを破棄することもあり得る不快さを感じる患者も現われる。
【０００５】
コンタクトレンズは、通常、レンズが角膜の表面にのみ置かれるような直径を有する「角膜式」、及びレンズが角膜を超えて延在し、隣接する強膜に置かれる「ソフト式」と呼ばれている。標準的なコンタクトレンズは、回転対称であり、レンズの光学的な部分は、単純なガウス光学系、すなわち、単純な球面か又はトーリックのいずれかによって構成されている。「ソフト式」の場合、コンタクトレンズは、そのレンズが角膜の周辺の眼の部分、すなわち、強膜に置かれると、角膜をアーチ状に覆い、またこのレンズは、強膜からもアーチ状に湾曲して延在する。しかし、人間の角膜と強膜は、「非対称性非球面」な表面である。
【０００６】
「非球面」は、（幾何学的な経線と類似の角膜の幾何学的中心を通る角膜面上の仮想線である）角膜の「経線」に沿った曲率半径が一定ではない、ことを意味する。実際、角膜の湾曲は、幾何学的中心から周縁に徐々に平坦化される傾向にある。「非対称性」は、経線の半分に沿った角膜湾曲の輪郭が同一経線の他の半分に沿った角膜湾曲の輪郭と同じではない（すなわち、鏡像ではない）、ことを意味する。加えて、「非対称性」は、中心点（すなわち、原点）の１つの側の角膜湾曲の輪郭が、中心点の反対側の角膜輪郭と同じではない、ことも意味する。角膜が非球面及び非対称である程度は、患者ごとに異なり、また同一患者であっても、左右の眼で異なる。
【０００７】
現時点における最新技術のコンタクトレンズは、角膜の湾曲及び幾何学的形状と一致せず、従って、適切に適合しない。患者の角膜が不規則であるほど、適合性は悪くなり、これによって、４０歳未満の患者の約２０％が標準的なコンタクトレンズを装着することができない。
【０００８】
加えて、標準的なコンタクトレンズは、回転対称である。レンズ供給者は、レンズを角膜に適合させるために、トーリック、両トーリック、及び類似の面を生成することがあるだろう。しかし、これらのさらに複雑なレンズ設計は、本質的に回転対称が引き継がれている。すなわち、それらの表面は、回転中心点を中心として生成される。
【０００９】
人間の角膜は、非対称性非球面の表面を有するので、ガウス光学系に純粋に基づくレンズは、角膜の湾曲及び幾何学的形状と十分に整合しない。レンズがトーリックレンズとして設計される場合、得られるレンズ面は、依然として、回転対称である（すなわち、これらのレンズは、非対称かつ非球面ではない）。眼によっては、レンズとその下の角膜の非対称な形状との間の不一致が大きく、これによって、トーリックレンズは、角膜を中心として位置することができず、及び／又は満足な視力を与えることができない。
【００１０】
これらの問題を軽減する目的で、製造業者は、種々の後面湾曲を有するレンズを開発した。例えば、米国特許第５，１１４，６２８号は、角膜トポグラフィーのデータを用いて旋盤を制御することによって作製される非球面コンタクトレンズを開示している（この’６２８特許によって示唆されるデータは、角膜の異なる点における角膜表面の傾斜に関する情報をもたらし、三次元的に解釈される二次元的な測定値に基づいている）。得られるレンズは、（前面と後面の両方において）非球面であるが、本質的に対称である。
【００１１】
ハンター（Hunter) に付与された米国特許第２，２６４，０８０号は、「輪郭付け」強膜コンタクトレンズ、すなわち、角膜の外側に置かれ、角膜をアーチ状に覆うレンズを製造するためのシステムを開示している。ハンターは、眼の表面の型を作成し、次いで、この型を、レンズ素材の表面の全体にわたって研磨機を機械的に半径方向に案内するための「テンプレート」として用いる技術を示唆している。
【００１２】
従って、当該技術分野において、コンタクトレンズを現在装着することができないあらゆる年代における多くの患者を減らすか又はなくし、コンタクトレンズを現在装着している患者に対してさらに心地よさをもたらす良好に適合するコンタクトレンズが、必要とされている。
【００１３】
本発明と同じ譲渡人に譲渡されたリーバーマン（Lieberman）とグリアソン（Grierson）に付与された米国特許第５，５０２，５１８号及び５，５７０，１４２号は、いずれも、角膜の表面の少なくとも一部と正確に整合する後面を有するコンタクトレンズを対象としている。’５１８と’１４２特許は、良好に適合するコンタクトレンズに対する要求を満たしている。
【００１４】
本譲渡人に譲渡されたリーバーマンとグリアソンに付与された米国特許第５，９５３，０９８号は、’５１８特許及び’１４２特許のさらなる改良をもたらし、レンズの表面を複数のセグメントに分割することによって、より一層の視力の増大をもたらす。ここで、複数のセグメントの各々は、比較的小さい表面領域を有するので、特にレンズの光学的領域において、レンズの後面がその下方の角膜の表面とより厳密に一致又は整合し、その結果、涙液膜のレンズ効果をなくし、これによって、改良された視力をもたらす。
【００１５】
本発明の譲渡人に譲渡されたリーバーマンとグリアソンに付与された米国特許第６，３４０，２２９号では、中央光学部分と、その中央部分の半径方向外側において角膜を覆う移行部分とを備えるコンタクトレンズが設計されている。この移行部分は、角膜のレンズの下方の部分の角膜の傾斜と歪を含む局部的な幾何学的な形状と一致している。ソフトコンタクトレンズの場合、強膜スカートも設けられ、移行部分が中央部分と強膜スカートを接続する。
【００１６】
米国特許第５，５０２，５１８号、５，５７０，１４２号、５，９５３，０９８号、及び６，３４０，２２９号は、その全体が、参照することによって、ここに含まれるものとする。不一致が生じる場合、定義を含むここにおける記述が、規制する。
【００１７】
心地よさの著しい改良が前記段落で確認された特許の発明から得られたが、それらは、角膜を解析してレンズを設計するのに特別の機器と技術を必要とする特別注文のレンズを作製する必要がある。その結果、このようなレンズは、比較的高価であり、大多数のレンズ装着者は、それらのレンズを装着していない。それに代わって、彼らは、従来の眼屈折試験及び角膜をアーチ状に覆うのに必要なレンズを決定するさらに他の測定に基づく眼科の専門家によって処方されるコンタクトレンズを装着している。以後、このようなレンズを、「処方」レンズと呼ぶ。患者は、処方コンタクトレンズを装着する場合、特に期間を延長させる点に関する問題を常に有している。円錐角膜のような角膜欠陥を有する患者は、処方コンタクトレンズを彼らの眼に維持することができない場合もある。すなわち、レンズは、眼の中心に十分に位置せず、又は場合によっては、眼から外れることがある。
【００１８】
目蓋／角膜の界面によって引き起こされる異物感を低減させることによって、レンズの心地よさを改良するために、現在、多くの患者が、ソフトコンタクトレンズを装着している。しかし、これらのレンズは、すでに述べたのと同じ理由によって、心地よさが得られるレベルに達していない。加えて、ソフトレンズの場合、レンズ周縁と眼との間の形状の不整合によって、レンズの撓みが生じることもある。これは、視力に有害な影響をもたらし、視野の際立ったぼやけを生じさせる。
【００１９】
このような患者の問題を分析した結果、米国特許第６，１４９，６０９号及び６，４１６，１７９号に開示された表面モデリング法を利用することによって、本発明者らは、処方コンタクトレンズの周縁部がこれらの問題の主な原因であることを発見した。処方レンズは、典型的には、旋盤によって形成され、周縁は、円形で、ほぼ面内にある。角膜は、全ての直径において、非球面でかつ非対称なので、特にレンズの周縁において、十分な適合が得られない。本発明の目的は、処方コンタクトレンズを、大部分の人々がそれらを心地よく装着することができるように、改良することにある。
【発明の開示】
【００２０】
本発明によれば、コンタクトレンズが装着される患者になされる眼の測定は、レンズと同一の直径を有する仮想円筒の表面における角膜深さの変動を表す付加的な測定を含んでいる。次いで、この情報がレンズ製造業者によって用いられ、これによって、周縁が、非円形で面内になく、適切な点において眼に向かって後方に垂れ、サドル状の周縁をなすレンズを作製する。
【００２１】
本発明の前述の簡単な説明、さらに他の特徴と利点は、添付の図面を参照して、例示的にすぎないが、本発明の好ましい実施形態の以下の記載から、さらに十分に理解されるだろう。
【発明を実施するための最良の形態】
【００２２】
図１を参照するに、患者の眼１２に装着された従来のコンタクトレンズ１０の側面図が示されている。レンズ１０の周縁１０ａは、円形で、ほぼ面内にある。しかし、角膜は、非対称かつ非球面であり、その垂直寸法よりもその横寸法において平坦化されている。従って、頂点と底において、レンズの縁と眼との間に、（誇張して示された）空間１４が存在する。これらの空間の結果として、レンズ１０は、目蓋が動いたとき、垂直方向に揺動しがちである。レンズが動くことによって、眼の炎症、従って、装着者への不快感が生じる。
【００２３】
図２に示されるように、本発明によれば、レンズ１０の周縁形状は、その縁が空間１４、１４の領域で眼に接近するように修正され、その結果、レンズ１０’が得られる。実際、眼の頂点に接する平面からレンズの縁までの距離、すなわち、深さは、空間１４、１４の領域において大きくなっている。同時に、（図１に示される）空間１４、１４の間の中間点におけるレンズ縁の深さと、その中心点から空間１４、１４までのレンズ縁の形状が滑らかに変化している。これによって、もはや面内にはなく、程よいサドル状に形成されたレンズ周縁１０ａ’が得られる。この修正された周縁形状によって、レンズは、その全周縁１０ａ’に沿って、眼に接近して着座する。特に、空間１４、１４は、実質的に減少するか又は排除される。その結果、目蓋の動きの影響下におけるレンズの揺動をなくし、これによって、付随する眼の不快さを緩和させる。レンズは、眼内における所定の回転配向を前提としなければならないことが、理解されるだろう。これは、通常、レンズの下端に重い部分を加えることによって、達成される。
【００２４】
処方コンタクトレンズは、「屈折試験」において得られる必要とされる矯正値に従って、患者の視力を矯正することを意図している。この試験がなされるとき、患者は、「フォロプター」と呼ばれる特殊な装置が装備された椅子に座り、このフォロプターを通して、患者は、略２０フィート離れた視力表を見る。患者がフォロプターを覗くと、医師は、異なる強さのレンズを視野内に入れ、その都度、その配置された特定のレンズによって、視力表がより鮮明に見えるか又はより不鮮明に見えるか、を患者に尋ねる。実施中に、医師は、２つの直交軸に関して焦点距離の逆数、すなわち、ジオプターの矯正値を変更することができると共に、視線に沿ってＺ軸に関するこれらの軸の回転の程度を変更することができる。医師は、最適な視力を達成するまで、継続的に、これらの３つのパラメータを変更する。屈折試験の結果は、通常、「ａ、ｂ、ｃ°」の形態で与えられる。ここで、「ａ」は、第１軸のジオプター矯正値であり、「ｂ」は、第２直交軸において必要とされる付加的なジオプター矯正値であり、「ｃ°」は、水平線に対する第１軸の回転角度である。この形態の情報は、眼ごとに得られ、眼鏡用の１対のレンズを研摩するのに、即座に役に立つ。
【００２５】
しかし、従来の屈折試験は、処方コンタクトレンズを作製するのに十分な情報をもたらさない。眼の頂点からレンズの周縁の下方に位置する領域までの眼の深さ変動の量に関する情報を得ることも必要である。この測定値は、典型的には、「プラシドディスク」式の単純なトポグラフィー走査機械によって、得られる。この形式の装置の一例として、テキサス州ヒューストンのアイシス（EyeSys）社の「EyeSys」が挙げられる。この測定値によって、医師は、角膜をアーチ状に覆うことができるレンズの適切な有効高さを示すことができる。例えば、球面カップ状のレンズの場合、これは、単にレンズの曲率半径と直径を選択するだけでよい。
【００２６】
図３は、最新のトポグラフィー用ラスター３次元写真に基づくスキャナーによって得られた画像の例を示している。この画像は、複数の異なるリング（ディスク）における角膜深さを、前方から見たときの角膜の平面図で示している。この画像がカラーであること、及び画像の側方の目盛は、カラー領域の各々をリングが最適合球面から変位する量と関連付けていることが、理解されるべきである。この場合、角膜は、７ｍｍ直径の部分に対して測定され、最適合球面は、８．５７０ｍｍの半径を有する球面であることが確認されている。
【００２７】
最小設備の眼科専門家でも、旧式のケラトメータ又は単一リングプラシド装置を有しているだろう。このような装置は、「Ｋ値］、すなわち、角膜の中心曲率の示度を与える。例えば、表Ｉに示されるように、レンズ直径の示度として、最平坦Ｋ値を用いることが、従来のコンタクトレンズの設計の一般的な方法である。
【００２８】
【表１】
2006526809.tif 000002
【００２９】
米国特許第６，１４９，６０９号及び第６，４１６，１７９号（この開示内容は、その全体が参照することによってここに含まれる）に開示された表面モデリング法を利用する患者の角膜の解析の結果、サドル状周縁を有するレンズの設計に有用である人間の眼の特性が見出されている。例えば、図４は、眼に投影された７ｍｍ直径の球面に沿った種々の点における角膜の深さを示すグラフである。Ｙ軸は、角膜深さを表し、Ｘ軸は、球面の周りの角変位を表している。この場合、０°が球面の最内点であることが、前提とされている。図から分かるように、この眼は、６ジオプターの乱視度を有している。深さは、略０．８４ｍｍから０．９６ｍｍの範囲で変化し、角変位に伴って実質的に正弦曲線で変化している。球面における最も狭い点は、略０°と１８０°において生じ、最も深い点は、略９０°と２７０°において生じている。また、深さは、２７０°の近傍におけるよりも９０°の近傍における方が大きい。このような深さ特性が、最も一般的である。
【００３０】
図５において、図４と類似の他の特性が示されているが、ここでは、患者の両眼を示している。この場合、利き目（ＯＤ）は、８０°の軸において、２．５ジオプターの乱視度を有し、（約０．８４−０．８９ｍｍの深さ変動を示している）。非利き目（ＯＳ）は、８０°の軸において、４ジオプターの乱視度を有し、（約０．８３−０．９ｍｍの深さ変動を示している）。ここでも、両眼は、実質的に正弦曲線の特性を有しているが、ここでは、付加的な特徴も示されている。第１に、特定の直径における深さ変動は、乱視の大きさと共に生じている。また、利き目は、乱視の程度が少ない傾向にある。
【００３１】
実験に基づいた測定から、表２に示される乱視度と必要とされるレンズの垂直方向における深さの増大との間の関係が、推定されている。
【００３２】
【表２】
2006526809.tif 000003
【００３３】
従って、処方レンズの場合、コンタクトレンズの上下部が眼に接近する必要のある量が、乱視の測定から合理的に導かれ得る。近似的又は経験的に、最大レンズ深さは、単位ジオプターの乱視度につき、２０μｍだけ増大され得る。従って、処方レンズを発注するとき、医師は、眼の乱視度とその軸を特定し、これによって、従来よりもさらに良好な適合性を有するレンズを得ることを確実にする。
【００３４】
元来、旋盤加工技術は、レンズ素材を三次元的に非対称に形作るのに、適当ではなかった。何故なら、それらの技術は、符号化された情報に基づくフライス盤の必要な正確さ、すなわち、精度を有していなかったからである。しかし、最新の旋盤、例えば、英国のレスターにあるランク、テーラー、ホブソン（Rank, Taylor, Hobson）社によって製造される「Optiform LatheTM」の商標で市販されている旋盤は、符号化された情報に基づくフライス盤の必要な正確さ、すなわち、精度を有し、少なくともレンズ表面の１５°間隔の回転セグメントごとに、レンズ素材をＺ軸方向において約０．１ｍｍ切削することができる。
【００３５】
次いで、医師によって与えられた乱視又は同様の情報が、レンズ製造業者によって用いられ、適切な点におけるレンズの深さを増大させ、及びレンズの周縁を滑らかに変化させて０°と１８０°の点に戻すように、旋盤をプログラム化させることができる。
【００３６】
本発明は、制限されることなく、種々の市販の材料から製造されるソフト、ハード、又は気体透過性コンタクトレンズを含んでいる。これらの市販の材料として、好ましくは、親水性ポリマー（例えば、ヒドロゲル）、ポリ（メチルメタクリレート）、又はフルオロシリコンアクリレート（ポリマーテクノロジー社）、柔軟性フルオロポリマー（例えば、オキュラーサイエンス社の「Ａ−ＦＰＰ」）、シロキサンアクリレート（クーパビジョン社）、スチリシリコン（オクテック社）、１−ブチルスチレン／シリコンアクリレート（「ＰＢＨ」）、ポリスルフォン・フルオロシリコンアクリレート（プログレッシブオプティカルリサーチ社）、及びフルオロポリマー（アメリカンヒドロン社）のような剛性ガス透過性ポリマー材料が挙げられる。
【００３７】
図１において観察される現象、すなわち、角膜表面の横方向の形状が垂直方向の形状と比較して平坦化される現象は、レンズの直径が増大するにつれて、さらに顕著な影響を有する。加えて、垂直方向の非対称は、レンズの直径が、強膜まで拡張されてその強膜を超えるまで大きくなるにつれて、さらに顕著になる。この深さ特性は、図４と依然として類似しているが、第２の下向きピークが実質的に小さくなり、消失するか又は上向きのピークになる。すなわち、レンズの直径が大きくなると、上側の間隙１４の寸法が増大し、下側の間隙１４が実質的に減少する傾向にある。ソフトコンタクトレンズはその周縁が強膜を超えて延びているので、これらのレンズは、ハードレンズよりも大きい直径を有し、その結果、図１において観察された現象は、より顕著になる。
【００３８】
他方では、レンズのコストを低減させるために、特別注文の程度を可能な限り少なくし、従来の旋盤によってレンズを製造することが望ましい。これは、使い捨てレンズのような形式のソフトレンズの場合、特に望ましい。
【００３９】
本発明の第２実施形態によれば、周縁は、面内にあるが、その周縁の面は、レンズの頂点と接する面に対して平行ではない、すなわち、傾斜しているレンズが製造される。好ましくは、この傾斜は、装着されたとき、レンズの上縁が眼の表面に近くなるように、設定される。結果的に、上側の間隙１４”が減少し、その一方、周縁が面内にあるので、レンズを従来の旋盤によって製造することができる。眼内に装着されたこのようなレンズ１０”が、図６に示されている。眼の形状がこの直径でレンズの下端に接近するように設定されているので、レンズの下縁において形状を変化させる必要がない、ことが理解されるだろう。
【００４０】
レンズのコストをさらに低減するために、レンズの周縁形状を特別注文によって作製せず、その代わりに、周縁の面の傾斜が、レンズの上端を統計的な平均値であるように決定された一定量だけ眼に接近させるように、選択される。例えば、レンズの上端は、略８０μｍだけ、接近させるとよい。これによって、最小の費用で、レンズを装着する人々の大多数に対して、快適さを改良し、角膜の乾燥を少なくし、及びレンズの臨床的帰結を改良することができるだろう。
【００４１】
本発明の好ましい実施形態について説明したが、上記の装置と方法は、本発明の原理を単に例示したにすぎないこと、及び付加的実施形態、修正形態、又は代替的実施形態が本発明の精神と範囲から逸脱することなく、当業者によって考案され得ることが、理解されるべきである。
【図面の簡単な説明】
【００４２】
【図１】装着されている従来の処方コンタクトレンズを示す眼の側面図である。
【図２】本発明を実施する処方コンタクトレンズを示す、図１と同様の図である。
【図３】プラシドディスクを用いるトポグラフィースキャナーによって作成された典型的な走査図を示す。
【図４】角膜の周囲における角変位する代表的な角膜の周縁深さの変動を示すグラフである。
【図５】患者の両方の角膜を示す、図４と同様の図である。
【図６】本発明を実施するコンタクトレンズの第２形態を示す、図２と同様の図である。
【図１】
2006526809.tif 000004
【図２】
2006526809.tif 000005
【図３】
2006526809.tif 000006
【図４】
2006526809.tif 000007
【図５】
2006526809.tif 000008
【図６】
2006526809.tif 000009
【国際調査報告】
2006526809.tif 000010